(57)【要約】【課題】リストバンドを手首等に装着時、ゴミとなる剥離紙を分離する必要のないリストバンドを簡単な構成で安価に提供する。【解決手段】人体の四肢のいずれかに巻き付けるリストバンド１であって、基材２と、基材２の一方の端部２ａに設けられ、基材２を折り返して基材２の一部と重ねて形成された折り返し部２ｂと、基材２の折り返し部２ｂと重なる領域と折り返し部２ｂとの間に設けられた粘着層３と、基材２の折り返し部２ｂと重なる重なり部２ｄと折り返し部２ｂとの間に設けられ、一方の面が粘着層３に仮着している剥離層４とを備える。【選択図】図３
2013019081.tif 000002
【特許請求の範囲】
【請求項１】
人体の四肢のいずれかに巻き付けるリストバンドであって、
基材と、
前記基材の一方の端部に設けられ、前記基材を折り返して前記基材の一部と重ねて形成された折り返し部と、
前記基材の前記折り返し部と重なる領域と前記折り返し部との間に設けられた粘着層と、
前記基材の前記折り返し部と重なる領域と前記折り返し部との間に設けられ、一方の面が前記粘着層に仮着している剥離層と、
を備えるリストバンド。
【請求項２】
請求項１に記載のリストバンドにおいて、
前記粘着層は、前記剥離層よりも前記折り返し部に近い側に設けられていること、
を特徴とするリストバンド。
【請求項３】
請求項１又は請求項２に記載のリストバンドにおいて、
前記折り返し部の先端部には、少なくとも前記粘着層が積層していない、つまみ部が設けられていること、
を特徴とするリストバンド。
【請求項４】
請求項１から請求項３までのいずれか１項に記載のリストバンドにおいて、
前記基材は、
情報を表示可能な表示部と、
前記表示部に一体的に連結して設けられたバンド部と、
を有し、
前記折り返し部は、前記表示部の前記バンド部と連結している側とは反対側の端部に設けられていること、
を特徴とするリストバンド。
【請求項５】
請求項４に記載のリストバンドにおいて、
前記バンド部には、短手方向の端部から内側に向かう所定の長さのハーフ破断線が形成されていること、
を特徴とするリストバンド。
【発明の詳細な説明】
【技術分野】
【０００１】
本発明は、リストバンドにかかるもので、とくに病院や遊園地等で患者や入園者の四肢、例えば、手首又は足首に環状に巻き付けて個人情報を表示し、かつ、保持するために用いられるリストバンドに関するものである。
【背景技術】
【０００２】
従来から、病院等において患者の診療科、氏名、年齢、血液型等、その個人固有の識別データをリストバンドに印字して表示した上で、患者の四肢、例えば手首又は足首に環状に巻き付けて、患者の特定を確実にすることが行われている。
【０００３】
このリストバンドの固定方法としては、例えば、合成樹脂製の帯状のバンド本体に複数個の固定孔を開けて、クリップにより固定するものがある。しかし、この構成では、リストバンド固定のためにクリップが必要であり、操作が面倒であるとともに、安価での提供が困難であるという問題がある。
【０００４】
そこで、バンド本体の端部に粘着剤を塗布しておき、輪状にして、貼着する構成のリストバンドもある（例えば、特許文献１）。この粘着剤を用いる構成のリストバンドは、低コストで提供可能であり、かつ、装着操作が簡単である。しかし、この粘着剤を用いる構成のリストバンドでは、貼着固定可能な粘着層と台紙とからなる貼着シールを利用して剥離紙を剥がして粘着層により巻付け可能とする構成であり、手首等に装着時には、剥離紙が不要となってしまう。そのためゴミを発生させる要因となり、地球環境保全に寄与できないという問題がある。
【先行技術文献】
【特許文献】
【０００５】
【特許文献１】特開２００７−２２９０００号公報
【発明の概要】
【発明が解決しようとする課題】
【０００６】
本発明の課題は、リストバンドを手首等に装着時、ゴミとなる剥離紙を分離する必要のないリストバンドを簡単な構成で安価に提供することである。
【０００７】
また、本発明の他の課題は、上述のリストバンドを利用済みの場合に、被着体である手首等から容易に取り外すことができるリストバンドを提供することである。
【課題を解決するための手段】
【０００８】
本発明は、以下のような解決手段により、前記課題を解決する。
【０００９】
請求項１の発明は、人体の四肢のいずれかに巻き付けるリストバンドであって、基材と、前記基材の一方の端部に設けられ、前記基材を折り返して前記基材の一部と重ねて形成された折り返し部と、前記基材の前記折り返し部と重なる領域と前記折り返し部との間に設けられた粘着層と、前記基材の前記折り返し部と重なる領域と前記折り返し部との間に設けられ、一方の面が前記粘着層に仮着している剥離層と、を備えるリストバンドである。
【００１０】
請求項２の発明は、請求項１に記載のリストバンドにおいて、前記粘着層は、前記剥離層よりも前記折り返し部に近い側に設けられていること、を特徴とするリストバンドである。
【００１１】
請求項３の発明は、請求項１又は請求項２に記載のリストバンドにおいて、前記折り返し部の先端部には、少なくとも前記粘着層が積層していない、つまみ部が設けられていること、を特徴とするリストバンドである。
【００１２】
請求項４の発明は、請求項１から請求項３までのいずれか１項に記載のリストバンドにおいて、前記基材は、情報を表示可能な表示部と、前記表示部に一体的に連結して設けられたバンド部と、を有し、前記折り返し部は、前記表示部の前記バンド部と連結している側とは反対側の端部に設けられていること、を特徴とするリストバンドである。
【００１３】
請求項５の発明は、請求項４に記載のリストバンドにおいて、前記バンド部には、短手方向の端部から内側に向かう所定の長さのハーフ破断線が形成されていること、を特徴とするリストバンドである。
【発明の効果】
【００１４】
本発明によれば、リストバンドを手首等に装着時、ゴミとなる剥離紙を分離する必要のないリストバンドを簡単な構成で安価に提供できる。
また、本発明によれば、上述のリストバンドを利用済みの場合に、被着体である手首等から容易に取り外すことができる。
【図面の簡単な説明】
【００１５】
【図１】本発明によるリストバンド１の表面を示す図である。
【図２】リストバンド１の裏面を示す図である。
【図３】図１中に矢印で示したＸ−Ｘ線で切断した断面図である。
【図４】リストバンド１を患者の手首Ｗに巻き付ける過程を示す図である。
【図５】リストバンド１を患者の手首Ｗに巻き付けた状態を示す図である。
【発明を実施するための形態】
【００１６】
以下、本発明を実施するための最良の形態について図面等を参照して説明する。
【００１７】
（実施形態）
図１は、本発明によるリストバンド１の表面を示す図である。
図２は、リストバンド１の裏面を示す図である。
図３は、図１中に矢印で示したＸ−Ｘ線で切断した断面図である。
なお、これら図１から図３を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１８】
リストバンド１は、表示部１ａと、バンド部１ｂとを有しており、基材２と、粘着層３と、剥離層４とにより構成されている。
【００１９】
表示部１ａは、基材２上に矩形形状に形成されており、その表面に各種文字及びバーコードや二次元コード等により、例えば、患者の個人情報を表示可能な領域である。なお、以下の説明において、図１に示されている表示部１ａのバーコード等を表示する表示面側を表面と呼び、反対側を裏面と呼ぶ。
【００２０】
バンド部１ｂは、表示部１ａに一体的に連結して基材２に設けられた領域である。バンド部１ｂは、患者の四肢のいずれかひとつに巻き付け可能とする部分である。バンド部１ｂには、短手方向の端部から内側に向かう所定の長さのハーフ破断線６が、長手方向に所定の間隔で並んで形成されている。このハーフ破断線６は、リストバンド１を利用後、手首等から取り外すときにリストバンド１を切断するきっかけとなる切り込みである。ハーフ破断線６の切り込みは、表裏面を貫通せず、表面側のみ切り込みが形成されている。これにより、手首Ｗ等に装着した際、ハーフ破断線６の形成によるバリや鋭角な突起等は、装着面となる裏面に存在せず、肌に接触してカブレや不快感を与えるのを防止することができる。
【００２１】
また、バンド部１ｂの裏面には、識別マーク５が形成されている。識別マーク５は、印刷インキ等の墨色で印刷されて形成されている。この識別マーク５は、印字開始位置を決めるときの基準位置を表すものである。不図示のプリンタに装填されたリストバンド１の識別マーク５をプリンタが検出することにより、表示部１ａ上の正しい位置に、例えば、患者の個人情報を各種文字及びバーコードや二次元コード等により印字することができる。
【００２２】
リストバンド１を患者の手首や足首等に巻き付ける際、表示部１ａがバンド部１ｂの外側に重なり合うので、表示部１ａの情報がバンド部１ｂに覆われることがない。つまり、図１に示すように、リストバンド１の長手方向の長さを２Ｌとすると、表示部１ａの長手方向の長さとバンド部１ｂの長さを同一にした場合、手首又は足首の環状の長さの許容範囲は、Ｌ以上、２Ｌ以内とすることが望ましい。これにより、表示部１ａの領域がバンド部１ｂの表面側に重なり合って隠れることはなく、表示可能となる。また、リストバンド１の長さを２Ｌとし、表示部１ａよりバンド部１ｂの長さを長くすることでも表示可能である。
本実施形態では、表示部１ａとバンド部１ｂとの幅（短手方向の長さ）は、双方略同一であるが、この幅は、任意に設定可能である。例えば、表示部１ａの幅をバンド部１ｂよりも広くして、表示可能な面積を広くしてもよい。その場合は、後述する折り返し部２ｂの幅は、バンド部１ｂの幅に合わせることが望ましい。
【００２３】
基材２は、リストバンド１のベースとなる部材であり、略矩形形状に形成されている。
基材２には、ポリエチレン又はその共重合体等から構成して柔軟性を確保したものを採用することが望ましい。また、基材２には、通気性に優れているとともに、長時間の使用にあたっても、蒸れやふやけを引き起こしにくい材質のものを採用することが望ましい。さらに、基材２は、その厚さを所定レベルに選定することによって、柔軟性及び剛性を併せ持つものとすることが望ましい。
また、基材２は、表示部１ａが設けられている側の端部２ａに折り返し部２ｂを有している。
【００２４】
折り返し部２ｂは、基材２を表面側から裏面側に折り返して重ねて形成されている部分である。なお、基材２の折り返し部２ｂと重なる領域を、以下、重なり部２ｄと呼ぶ。
重なり部２ｄと折り返し部２ｂとの間には、粘着層３と剥離層４とが設けられている。
また、折り返し部２ｂの先端部には、粘着層３と剥離層４とが積層していないつまみ部２ｃが設けられている。
【００２５】
粘着層３は、患者の手首等にリストバンド１を巻き付けたときに、バンド部１ｂの表面側に貼り付けるための部分である。粘着層３は、重なり部２ｄと折り返し部２ｂとの間において、剥離層４よりも折り返し部２ｂに近い側に設けられている。すなわち、粘着層３は、折り返し部２ｂの、重なり部２ｄに対向する側の面（図３において折り返し部２ｂの上側の面）上に形成されている。
【００２６】
剥離層４は、粘着層３と重なり部２ｄとに挟まれる位置に形成されている。剥離層４は、重なり部２ｄの裏面側に塗布されて形成され、粘着層３と剥離層４とは、仮着された状態となっている。
【００２７】
したがって、リストバンド１の端部２ａ付近は、表面側から基材２（重なり部２ｄ）、剥離層４、粘着層３、折り返し部２ｂがこの順で積層されて形成されている。このような構成の本実施形態のリストバンド１の使い方を、以下に説明する。
【００２８】
図４は、リストバンド１を患者の手首Ｗに巻き付ける過程を示す図である。
図５は、リストバンド１を患者の手首Ｗに巻き付けた状態を示す図である。
なお、ここでは、患者の手首Ｗに巻き付ける場合を説明するが、足首であっても、同様である。
リストバンド１を使うときには、先ず、図３の状態で不図示のプリンタにリストバンド１を装填して、バーコード等の情報を表示部１ａに印刷する。そして、図３のように折り返し部２ｂが折り返された状態からリストバンド１を巻き付けるときには、先ず、つまみ部２ｃを指でつまむ等して引っ張り、粘着層３と剥離層４との仮着を剥がして、図４のように折り返し部２ｂの折り返しを戻す。この状態で、図４に示すように、粘着層３をバンド部１ｂの表面に貼り付ける方向で手首Ｗに巻き付ける。
【００２９】
粘着層３及び剥離層４は、いずれも基材２上（基材２の裏面）に形成されている。また、粘着層３は、折り返し部２ｂ上に形成されており、この折り返し部２ｂは、基材２を折り返して形成した部分であるので、表示部１ａと一体となって繋がっている。したがって、この貼付の過程において、不要となる剥離紙片等が発生しない。
また、一度つまみ部２ｃをつまめば、粘着層３と剥離層４との仮着を剥がして、そのままリストバンド１の巻き付けを行うことができ、作業性が極めてよい。
さらに、粘着層３は、バンド部１ｂ上の任意の位置に貼り付けることができるので、手首Ｗの太さに応じて、適切な大きさの輪を簡単にリストバンド１により形成できる。
【００３０】
また、図５に示すように、リストバンド１の表示部１ａとバンド部１ｂとは患者の手首Ｗに一部分が重複して環状に巻き付けられるが、表示部１ａは、バンド部１ｂより外方に巻き付けるので表示情報がバンド部１ｂにより覆われることはない。
さらに、つまみ部２ｃは、リストバンド１の長手方向の長さを２Ｌとすると、手首Ｗの環状の長さが、Ｌ以上、かつ、２Ｌ以内であれば、バンド部１ｂの表面上に位置するようになる。よって、折り返しの折り癖によりつまみ部２ｃの先端が直に手首Ｗの皮膚に接触することもなく、カブレや不快感を与えるものでない。
さらにまた、リストバンド１を患者の手首Ｗから取り外すときには、ハーフ破断線６を利用してリストバンド１を切断することにより、簡単に取り外すことができる。
【００３１】
以上説明したように、本実施形態のリストバンド１は、患者の手首等に装着するときに、剥離紙の分離等が不要であり、ゴミが発生しない。また、本実施形態のリストバンド１は、クリップ等も不要であり、構成が簡単なので、安価に提供することができる。さらに、本実施形態のリストバンド１は、つまみ部２ｃをつまんだまま、一連の装着作業を行えるので、使いやすい。さらにまた、本実施形態のリストバンド１は、利用後は、ハーフ破断線６を用いて切断することにより簡単に取り外すことができる。
【００３２】
（変形形態）
以上説明した実施形態に限定されることなく、種々の変形や変更が可能であって、それらも本発明の範囲内である。
例えば、本実施形態において、粘着層３は、剥離層４よりも折り返し部２ｂに近い側に設けられている例を挙げて説明した。これに限らず、例えば、剥離層を粘着層よりも折り返し部に近い側に設けてもよい。
【符号の説明】
【００３３】
１    リストバンド
１ａ  表示部
１ｂ  バンド部
２    基材
２ａ  端部
２ｂ  折り返し部
２ｃ  つまみ部
２ｄ  重なり部
３    粘着層
４    剥離層
５    識別マーク
６    ハーフ破断線
Ｗ    手首
【図１】
2013019081.tif 000003
【図２】
2013019081.tif 000004
【図３】
2013019081.tif 000005
【図４】
2013019081.tif 000006
【図５】
2013019081.tif 000007